(57)【特許請求の範囲】
【請求項１】
バッテリー・カートリッジである、或いは消耗品カートリッジである、或いは廃棄物や資源の回収カートリッジであるカートリッジ（１）と、
前記カートリッジ（１）に組み込んで用いられ、識別情報が設定されるＩＣチップ（１０）と、
前記カートリッジ（１）を収容し、バッテリーを利用する、或いは消耗品を消費する、或いは前記廃棄物や前記資源を回収する装置（２）と、から構成され、
前記ＩＣチップ（１０）は、第１記憶部と第２記憶部を備え、前記第１記憶部に情報が書き込まれたときに、前記第１記憶部と前記第２記憶部の記憶情報を交換し、
前記装置（２）は、前記第１記憶部に任意の情報を書き込み、前記第１記憶部の記憶情報を読取る制御手段と、前記制御手段により、前記第１記憶部と前記第２記憶部の記憶情報の交換を確認することにより、前記ＩＣチップ（１０）を正規品か否か判定する判定手段を備えることを特徴とするカートリッジシステム。
【請求項２】
コンピュータを、請求項１に記載の制御手段および判定手段として機能させるための制御プログラム。
【請求項３】
請求項１に記載のＩＣチップ（１０）。
【請求項４】
請求項３に記載のＩＣチップ（１０）を備えることを特徴とするカートリッジ（１）。
【請求項５】
請求項１に記載の装置（２）。
【発明の詳細な説明】
【技術分野】
【０００１】
本発明は、カートリッジシステム、正規品判定に利用されるＩＣチップに関する。
【背景技術】
【０００２】
従来、カートリッジシステムが知られる。例えば、特開２００３−３２０６５８号公報において、暗号化部はインクカートリッジの製造番号を第１秘密キーで暗号化してビットマスクを生成する。論理演算部は第１付加情報とビットマスクとのＸＯＲを算出して乱数を取得する。暗号化部は乱数を第２秘密キーで暗号化して電子署名を生成する。論理演算部第２付加情報とビットマスクとのＸＯＲを算出して電子署名を取得する。比較判定部は取得した電子署名と生成した電子署名を比較して、電子署名が一致した場合には、装着されているインクカートリッジは登録されている製品であると判定し、一致しない場合には、登録されている製品ではないと判定するインクカートリッジ判定装置の技術が開示されている。
【先行技術文献】
【特許文献】
【０００３】
【特許文献１】特開２００３−３２０６５８号公報
【発明の概要】
【発明が解決しようとする課題】
【０００４】
ところで、従来のカートリッジシステムは、特許権が成立していないためＩＣチップをデッドコピーして、ＩＣチップのコピー商品を製造販売することができると言った問題があった。
【０００５】
そこで、本発明の目的は、ＩＣチップの正規品判定を行なうカートリッジシステムを提供することにある。また、正規のカートリッジからＩＣチップを取外し、互換カートリッジに移設する行為を防止するカートリッジシステムを提供することにある。
【課題を解決するための手段】
【０００６】
上記課題を解決するため本発明のカートリッジシステムにおいて、バッテリー・カートリッジである、或いは消耗品カートリッジである、或いは廃棄物や資源の回収カートリッジであるカートリッジ（１）と、前記カートリッジ（１）に組み込んで用いられ、識別情報が設定されるＩＣチップ（１０）と、前記カートリッジ（１）を収容し、バッテリーを利用する、或いは消耗品を消費する、或いは前記廃棄物や前記資源を回収する装置（２）と、から構成され、前記ＩＣチップ（１０）は、第１記憶部と第２記憶部を備え、前記第１記憶部に情報が書き込まれたときに、前記第１記憶部と前記第２記憶部の記憶情報を交換し、前記装置（２）は、前記第１記憶部に任意の情報を書き込み、前記第１記憶部の記憶情報を読取る制御手段と、前記制御手段により、前記第１記憶部と前記第２記憶部の記憶情報の交換を確認することにより、前記ＩＣチップ（１０）を正規品か否か判定する判定手段を備えることを特徴とする。
【発明の効果】
【０００７】
本発明によれば、カートリッジシステムは、ＩＣチップ（１０）の正規品判定を行なうことができる。また、正規のカートリッジ（１）からＩＣチップ（１０）を取外し、非正規の互換カートリッジに移設する行為を防止することができる。延いては、非正規のカートリッジの製造販売を防止することができる。
【図面の簡単な説明】
【０００８】
【図１】実施形態のカートリッジシステムの構成の一例である。
【発明を実施するための形態】
【０００９】
以下、本発明の一実施の形態について詳細に説明する。
【００１０】
図１は実施形態のカートリッジシステムの構成の一例である。
カートリッジシステムは、バッテリー・カートリッジである、或いはゲーム機、電子楽器などのＲＯＭカートリッジなどのコンテンツの記憶媒体をなすコンテンツ・カートリッジである、或いはプリンタのトナーなどの消耗品を格納する消耗品カートリッジである、或いはプリンタの使用済みトナーなどの廃棄物や資源を回収する回収カートリッジであるカートリッジ１と、カートリッジ１に組み込んで用いられ、ＩＣチップの製造番号などの識別情報が設定されるＩＣチップ１０と、カートリッジ１を収容し、バッテリーを利用する、或いはコンテンツを利用する、或いは消耗品を消費する、或いは廃棄物や資源を回収する装置２と、から構成されている。
また、ＩＣチップ１０が、第１記憶部と第２記憶部を備え、第１記憶部に情報が書き込まれた場合に、第１記憶部と第２記憶部の記憶情報を交換し、装置２が、第１記憶部に任意の情報を書き込み、第１記憶部の記憶情報を読取る制御手段と、制御手段を複数回実施することにより、ＩＣチップ１０を正規品と判定する判定手段を備えることを特徴とする。
【００１１】
装置２は、ＣＰＵ、ＲＯＭ、ＲＡＭ、記憶装置、入出力部（タッチパネル、ディスプレイなど）、通信部などを有するコンピュータ部と、ＩＣチップ１０へ電源を供給し、ＩＣチップ１０とのシリアル通信などの通信経路をなすコンタクト部２０と、カートリッジ１を収容するカートリッジ収容部２１などを備える。
【００１２】
次に、表３に基づき装置２がＩＣチップ１０を正規品と判定する流れを説明する。
ＩＣチップ１０は、第１記憶部と第２記憶部に例えば文字情報“Ｗ”と文字情報“Ｘ”を記憶している（初期状態）。装置２は、第１記憶部に任意の第１情報である例えば“Ａ”を書き込む（ステップＳ１）。ＩＣチップ１０は、第１記憶部に第１情報“Ａ”が書き込まれたことに応じて、第１記憶部と第２記憶部の記憶情報を交換する（ステップＳ２）。装置２は、第１記憶部の記憶情報を読取り、それが先ほど自己が書き込んだ第１情報“Ａ”でないことを確認し、第１記憶部に任意の第２情報である例えば“Ｂ”を書き込む（ステップＳ３）。ＩＣチップ１０は、第１記憶部に第２情報“Ｂ”が書き込まれたことに応じて、第１記憶部と第２記憶部の記憶情報を交換する（ステップＳ４）。装置２は、第１記憶部の記憶情報を読取り、それが最初に自己が書き込んだ第１情報“Ａ”であることを確認しＩＣチップ１０を正規品と判定する。
【００１３】
ＩＣチップ１０は、剥がれ易い接着剤を用いてプリント基板１１にダイボンディングされ、プリント基板１１の表側のプリント配線にワイヤーボンディングで接続され、チップコーティングペーストが塗布されてチップコーティングペーストの硬化処理がなされている。また、プリント基板１１の裏側のプリント接点と接触した装置２のコンタクト部２０を介して装置２から電源が供給され、装置２と通信を行う。
【００１４】
カートリッジ１は、チップコーティングペーストの硬化処理がなされたＩＣチップ１０を接着する凹部を備え、凹部に接着されたＩＣチップ１０を、カートリッジ１から無理矢理に取外そうとすると、ＩＣチップ１０がプリント基板１１から剥がれてしまい、ＩＣチップ１０が凹部に取り残され再利用できないように壊れてしまう。この結果、例えば、従来のインクカートリッジ式プリンタの正規のカートリッジ１からＩＣチップ１０を取外し、非正規の互換インクカートリッジにＩＣチップ１０を移設して再利用することを防止する。
【００１５】
バッテリー・カートリッジ１は、充電式、使い捨てなどのバッテリーを備える。
バッテリー・カートリッジ１のＩＣチップ１０は、識別情報とともに、バッテリーの残量や使用量などの数量情報を記憶し、バッテリー・カートリッジ１を収容した装置２が、バッテリーの使用量に応じて該数量情報を更新し、該数量情報が所定の値に達した場合に、バッテリー切れ警告を表示し利用者にバッテリー・カートリッジ１の交換を促す構成としてもよい。
【００１６】
コンテンツ・カートリッジ１のＩＣチップ１０は、識別情報とともに、コンテンツを記憶し、コンテンツ・カートリッジ１を収容した装置２が、利用者の操作に応じて、該コンテンツを読出しＣＰＵで実行させて利用者に該コンテンツを利用させる構成としてもよい。
【００１７】
消耗品カートリッジ１のＩＣチップ１０は、識別情報とともに、消耗品の残量や使用量などの数量情報を記憶し、消耗品カートリッジ１を収容した装置２が、消耗品の使用量に応じて該数量情報を更新し、該数量情報が所定の値に達した場合に、消耗品切れ警告を表示し利用者に消耗品カートリッジ１の交換を促す構成としてもよい。
【００１８】
廃棄物や資源の回収カートリッジのＩＣチップ１０は、識別情報とともに、廃棄物や資源の回収量や格納残量などの数量情報を記憶し、廃棄物や資源の回収カートリッジ１を収容した装置２が、廃棄物や資源の回収量に応じて該数量情報を更新し、該数量情報が所定の値に達した場合に、カートリッジの満杯警告を表示し利用者に廃棄物や資源の回収カートリッジ１の交換を促す構成としてもよい。
【００１９】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の装置２と同等の作用および効果が得られる。
【００２０】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００２１】
また、インターネット、ＬＡＮ等のネットワークシステムを介して制御プログラムをダウンロードし、インストールして実行するように構成することも可能である。
【符号の説明】
【００２２】
１…カートリッジ，２…装置，３…表，１０…ＩＣチップ，１１…プリント基板，２０…コンタクト部，２１…カートリッジ収容部
【要約】
【課題】本発明の目的は、ＩＣチップの正規品判定を行なうカートリッジシステムを提供することにある。
【解決手段】カートリッジ１と、カートリッジ１に組み込んで用いられ、識別情報が設定されるＩＣチップ１０と、カートリッジ１を収容する装置２と、から構成され、ＩＣチップ１０は、第１記憶部と第２記憶部を備え、第１記憶部に情報が書き込まれたときに、第１記憶部と第２記憶部の記憶情報を交換し、装置２は、第１記憶部に任意の情報を書き込み、第１記憶部の記憶情報を読取る制御手段と、制御手段により、第１記憶部と第２記憶部の記憶情報の交換を確認することにより、ＩＣチップ１０を正規品か否か判定する判定手段を備えることを特徴とする。
【選択図】図１【図１】
0005472843.tif 000002